(57)【要約】      （修正有）【課題】高さ調整ができる組み立て可能な焚き火台を提供する。【解決手段】一対の縦杆３、３０３と、該両縦杆３、３０３の上部から下方に所定の間隔を隔てて相互に平行に隣り合い、両縦杆３、３０３を横方向に相互に連結する４以上の複数の連結杆４ａ〜４ｆとを備えた一対の脚部１、１０１と、該脚部１、１０１により支持される棚部２とを備え、棚部２は、脚部１、１０１の上下方向に隣り合う任意の２つの連結杆４ａ及び４ｂの上方の連結杆４ａ下面と下方の連結杆４ｂ上面との間を挿通し、一方の脚部１の下端と他方の脚部１０１の下端とが相互に離れる方向に両脚部１、１０１を傾斜させることにより、脚部１、１０１の上方の連結杆４ａ下面が棚部２の上面に当接し、且つ下方の連結杆４ｂ上面が棚部２の下面に当接することにより棚部２が脚部１、１０１に支持され、棚部２が最下位置で支持された状態では、脚部１、１０１下端から、棚部２下面までの高さ寸法が３２〜３６ｃｍである。【選択図】図１
0003218670.tif 000002
【実用新案登録請求の範囲】
【請求項１】
一対の縦杆と、該両縦杆の上部から下方に所定の間隔を隔てて相互に平行に隣り合い、前記両縦杆を横方向に相互に連結する４以上の複数の連結杆とを備えた一対の脚部と、該脚部により支持される棚部とを備え、前記棚部は、前記脚部の上下方向に隣り合う任意の２つの連結杆の上方の連結杆下面と下方の連結杆上面との間を挿通し、一方の脚部の下端と他方の脚部の下端とが相互に離れる方向に両脚部を傾斜させることにより、前記脚部の前記上方の連結杆下面が前記棚部の上面に当接し、且つ前記下方の連結杆上面が前記棚部の下面に当接することにより棚部が脚部に支持され、棚部が最上位置で支持された状態では、前記脚部下端から、棚部下面までの高さ寸法が４２〜４６ｃｍであり、棚部が最下位置で支持された状態では、前記脚部下端から、棚部下面までの高さ寸法が３２〜３６ｃｍであることを特徴とする焚き火台。
【考案の詳細な説明】
【技術分野】
【０００１】
本考案は、屋外で調理する際に用いられる組み立て可能な焚き火台に関するものである。
【背景技術】
【０００２】
屋外で調理する際に用いられる焚き火台には携帯性が要求される。すなわち、組み立て又は折り畳みが容易であることが要求される。特許文献１には、図９に示されるように、一対の脚４０、４０と該脚４０、４０の各々の上部を水平部４１を有する連結部４２で固定可能とし、一方の脚４０の下端と他方の脚４０の下端とが相互に離れる方向に両脚を傾斜させることにより、脚４０、４０が水平部に固定され、一方の脚４０の下端と他方の脚４０の下端とが相互に接近する方向に両脚４０、４０を回動させることにより、両脚４０、４０が連結部４２下面に重なる折り畳み式棚状体に関する考案が開示されている。
【０００３】
しかしながら、特許文献１に係る考案は、脚が水平部に固定された場合の高さが略固定され、一定の高さのコンロ台しか使用できないという問題があった。
【先行技術文献】
【特許文献】
【０００４】
【特許文献１】実願２０１７−１７２
【考案の概要】
【考案が解決しようとする課題】
【０００５】
本考案は、一定の高さのコンロ台しか使用できないという問題を解消し、様々なメーカー、高さのコンロ台に使用することができるよう、高さ調整ができる組み立て可能な焚き火台を提供することを目的とするものである。
【課題を解決するための手段】
【０００６】
請求項１に記載の焚き火台は、一対の縦杆と、該両縦杆の上部から下方に所定の間隔を隔てて相互に平行に隣り合い、前記両縦杆を横方向に相互に連結する４以上の複数の連結杆とを備えた一対の脚部と、該脚部により支持される棚部とを備え、前記棚部は、前記脚部の上下方向に隣り合う任意の２つの連結杆の上方の連結杆下面と下方の連結杆上面との間を挿通し、一方の脚部の下端と他方の脚部の下端とが相互に離れる方向に両脚部を傾斜させることにより、前記脚部の前記上方の連結杆下面が前記棚部の上面に当接し、且つ前記下方の連結杆上面が前記棚部の下面に当接することにより棚部が脚部に支持され、棚部が最上位置で支持された状態では、前記脚部下端から、棚部下面までの高さ寸法が４２〜４６ｃｍであり、棚部が最下位置で支持された状態では、前記脚部下端から、棚部下面までの高さ寸法が３２〜３６ｃｍであることを特徴とするものである。
【考案の効果】
【０００７】
本考案に基づく焚き火台は、前記棚部が、前記脚部の上下方向に隣り合う任意の２つの連結杆の上方の連結杆下面と下方の連結杆上面との間を挿通し、一方の脚部の下端と他方の脚部の下端とが相互に離れる方向に両脚部を傾斜させることにより棚部が脚部に支持されるため、簡易に焚き火台を組み立てることができる。また、棚部が支持される脚部の上下方向に隣り合う２つの連結杆を任意に選択できるため、焚き火台を異なる高さで組み立て、棚部が脚部に支持されるようにすることができる。
【０００８】
また、前記棚部が最上位置となるように前記脚部に支持された状態では、脚部下端から、棚部下面までの高さ寸法が４２〜４６ｃｍであり、棚部が最下位置となるように脚部に支持された状態では、脚部下端から、棚部下面までの高さ寸法が３２〜３６ｃｍであるため、高さの微調整ができ、様々なメーカーのコンロ台により適切に対応できる。即ち現在知られている殆どのメーカーのコンロ台に適切に対応できる。
【図面の簡単な説明】
【０００９】
【図１】本考案に係る焚き火台を組み立てた一例の斜視における説明図である。
【図２】本考案に係る焚き火台を組み立てた一例の正面視おける説明図である。
【図３】本考案に係る焚き火台の脚部の一例の説明図である。
【図４】本考案に係る焚き火台の棚部の一例の説明図である。
【図５】本考案に係る焚き火台の組立方法の一例を示す説明図（１）である。
【図６】本考案に係る焚き火台の組立方法の一例を示す説明図（２）である。
【図７】本考案に係る焚き火台の使用状態を示す説明図（１）である。
【図８】本考案に係る焚き火台の使用状態を示す説明図（２）である。
【図９】従来の折り畳み式棚状体の斜視図である。
【考案を実施するための形態】
【００１０】
以下、図面に基づいて本考案の実施形態を説明する。
図１は、本考案に係る焚き火台を組み立てた一例の斜視における説明図である。図２は、本考案に係る焚き火台を組み立てた一例の正面視おける説明図である。図３は、本考案に係る焚き火台の脚部の一例の説明図である。図４は、本考案に係る焚き火台の棚部の一例の説明図である。当該焚き火台は、一対の脚部１、１０１と棚部２とから構成される。脚部１、１０１は、一対の縦杆３、３０３と該縦杆３、３０３の上端を横方向に相互に連結する連結杆４ａと、該連結杆４ａの下方においてこれと所定の間隔を隔てて上下方向に相互に平行に隣り合い、前記両縦杆３、３０３を横方向に相互に連結する５本の連結杆４ｂ、４ｃ、４ｄ、４ｅ、４ｆと、前記両縦杆３、３０３の下端を横方向に相互に連結する下端杆６とを備えており、連結杆４ａ、両縦杆３、３０３、及び下端杆６で外周が形成されている。そして、連結杆４ａと４ｂの間隔、連結杆４ｂと４ｃの間隔、連結杆４ｃと４ｄの間隔、連結杆４ｄと４ｅの間隔、連結杆４ｅと４ｆの間隔は各々等間隔である。また、各連結杆４ａ、４ｂ、４ｃ、４ｄ、４ｅ，４ｆの断面寸法及び形状は同一である。本考案においては、各連結杆４ａ、４ｂ、４ｃ、４ｄ、４ｅ、４ｆは直径１０ｍｍの円形断面としたがこれに限られるものではなく、矩形断面であってもよい。外径も１０ｍｍに限られるものではない。
【００１１】
棚部２は、一対の脚部１、１０１に支持されるものであり、脚部１、１０１に支持された状態で脚部１、１０１と交差する方向に相互に平行な６本の水平杆５ａ、５ｂ、５ｃ、５ｄ、５ｅ、５ｆとその両端部にこれと直交する２本の端杆７、７０１とから構成されており、端杆７、水平杆５ａ、端杆７０１及び水平杆５ｆで外周が形成されている。そして、水平杆５ａと５ｂの間隔、水平杆５ｂと５ｃの間隔、水平杆５ｃと５ｄの間隔、水平杆５ｄと５ｅの間隔、水平杆５ｅと５ｆの間隔は各々等間隔である。また、各水平杆５ａ、５ｂ、５ｃ、５ｄ、５ｅ、５ｆの断面寸法及び形状は同一である。本考案においては、各水平杆５ａ、５ｂ、５ｃ、５ｄ、５ｅ、５ｆは直径１０ｍｍの円形断面としたがこれに限られるものではなく、矩形断面であってもよい。外径も１０ｍｍに限られるものではない。
【００１２】
そして、棚部２の各水平杆５ａ、５ｂ、５ｃ、５ｄ、５ｅ、５ｆは、脚部１、１０１の上下方向に隣り合う２つの連結杆４ａ及び４ｂの上方の連結杆４ａ下面と下方の連結杆４ｂ上面との間を挿通し、一方の脚部１下端と他方の脚部１０１下端とが相互に離れる方向に両脚部１、１０１を傾斜させることにより、棚部２が脚部１、１０１に支持されるものである。ここで隣り合う２つの連結杆４ａ及び４ｂは用途に応じて任意に選択でき連結杆４ｂ及び４ｃであっても、連結杆４ｃ及び４ｄであっても、連結杆４ｄ及び４ｅであっても、連結杆４ｅ及び４ｆであってもよい。また、脚部１、１０１、棚部２は、金属、合成樹脂、木材等、どのような材料でも使用可能であり、また、棒状体であっても面状体であってもよい。    
【００１３】
次に、本考案に係る焚き火台の組立方法について説明する。図５は、本考案に係る焚き火台の組立方法の一例を示す説明図（１）である。図６は、本考案に係る焚き火台の組立方法の一例を示す説明図（２）である。まず、図５に示されるように、一対の脚部１、１０１を床９に対して略垂直に立て、棚部２の各水平杆５ａ、５ｂ、５ｃ、５ｄ、５ｅ、５ｆを、脚部１、１０１の上下方向に隣り合う２つの連結杆４ａ及び４ｂの上方の連結杆４ａ下面と下方の連結杆４ｂ上面との間に挿通する。図５の状態では、支持された状態ではなく、脚部１、１０１は棚部２に対して少し回動可能な状態である。この状態から、一方の脚部１下端と他方の脚部１０１の下端とが相互に離れる方向に両脚部１、１０１を回動し傾斜させる。
【００１４】
これにより、脚部１、１０１の上方の連結杆４ａ下面が前記棚部２における各水平杆５ａ、５ｂ、５ｃ、５ｄ、５ｅ、５ｆの上面に当接し、且つ下方の連結杆４ｂ上面が前記棚部における各水平杆５ａ、５ｂ、５ｃ、５ｄ、５ｅ、５ｆの下面に当接することにより棚部２が脚部１、１０１に支持され、図６の状態となる。尚、図５に示される隙間Ａ、即ち、隣り合う連結杆４ａと４ｂとの間隔と水平杆５ａ等の断面寸法の差が１ｍｍから２ｍｍであることが好ましい。
【００１５】
上述のごとく、棚部２の各水平杆５ａ、５ｂ、５ｃ、５ｄ、５ｅ、５ｆを、脚部１、１０１の上下方向に隣り合う任意の２つ、即ち、連結杆４ａ及び連結杆４ｂの間、連結杆４ｂ及び連結杆４ｃの間、連結杆４ｃ及び連結杆４ｄの間、連結杆４ｄ及び連結杆４ｅの間、又は連結杆４ｅ及び連結杆４ｆの間に挿通し、一方の脚部１の下端と他方の脚部１０１の下端とが相互に離れる方向に両脚部１、１０１を傾斜させることにより棚部２が脚部１、１０１に支持されるため、簡易に且つ異なる高さに焚き火台を組み立てることができる。
【００１６】
図７は、本考案に係る焚き火台の使用状態を示す説明図（１）である。図８は、本考案に係る焚き火台の使用状態を示す説明図（２）である。図７は、棚部２の各水平杆５ａ、５ｂ、５ｃ、５ｄ、５ｅ、５ｆを、脚部１、１０１の上下方向に隣り合う連結杆４ａ及び４ｂの上方の連結杆４ａ下面と下方の連結杆４ｂ上面との間を挿通し、一方の脚部１の下端と他方の脚部１０１の下端とが相互に離れる方向に両脚部１、１０１を傾斜させることにより棚部２が脚部１、１０１に支持されたものであり、棚部２が最も高い位置で支持されたものである。当該棚部２の下にコンロ台を８を配置して使用できる。
【００１７】
図８は、棚部２の各水平杆５ａ、５ｂ、５ｃ、５ｄ、５ｅ、５ｆを、脚部１、１０１の上下方向に隣り合う連結杆４ｄ及び４ｅの上方の連結杆４ｄ下面と下方の連結杆４ｅ上面との間を挿通し、一方の脚部１の下端と他方の脚部１０１の下端とが相互に離れる方向に両脚部１、１０１を傾斜させることにより棚部２が脚部１、１０１に支持されたものであり、棚部２が最も低い位置で支持されたものである。当該棚部２の下にコンロ台８を配置して使用できる。
【００１８】
ここで、図７のように棚部２が脚部１、１０１に最も高い位置で支持された状態では、脚部１、１０１下端から最上位置に隣り合う位置の連結杆４ｂ上面までの高さ寸法、即ち棚部２下面までの高さ寸法が４２〜４６ｃｍであるため、高さが高いコンロ台８の使用に適する。また、図８のように棚部２が最も低い位置に支持された状態では、脚部１、１０１下端から最下位置の連結杆４ｅ上面までの高さ寸法、即ち棚部２下面までの高さ寸法が３２〜３６ｃｍであるため、高さが低いコンロ台８を使用できる。
【００１９】
上述のごとく、本考案に係る焚き火台は、棚部２が脚部１、１０１に支持された状態で棚部２下面までの高さ寸法を３２ｃｍから４６ｃｍまで調整できるため、高さの微調整ができ、様々なメーカーのコンロ台８により適切に対応できる。即ち、各メーカーでコンロ台８の高さが異なるものである。メーカーとしては、ロゴス、コールマン、ユニフレーム等が知られているが、現在知られている殆どのメーカーのコンロ台８に適切に対応できる。
【符号の説明】
【００２０】
１  脚部
１０１  脚部
２  棚部
３  縦杆
３０３  縦杆
４ａ  連結杆
４ｂ  連結杆
４ｃ  連結杆
４ｄ  連結杆
４ｅ  連結杆
５ａ  水平杆
５ｂ  水平杆
５ｃ  水平杆
５ｄ  水平杆
５ｅ  水平杆
５ｆ  水平杆
６  下端杆
７  端杆
７０１  端杆
８  コンロ台
９  床
【図１】
0003218670.tif 000003
【図２】
0003218670.tif 000004
【図３】
0003218670.tif 000005
【図４】
0003218670.tif 000006
【図５】
0003218670.tif 000007
【図６】
0003218670.tif 000008
【図７】
0003218670.tif 000009
【図８】
0003218670.tif 000010
【図９】
0003218670.tif 000011